(57)【要約】【課題】光コネクタアダプタの左右に壁部等による狭小空間が存在する場合でも、ツマミを介しての光プラグの挿抜動作が容易に行えるものとする。【解決手段】光プラグＰが装着されたツマミ１２の上面後部のストッパガイド２２と、スプリングガイド２３と、ツマミ１２の外面に設けられたアウターカバー２４と、ストッパガイド２２とアウターカバー２４間に配置されたスプリング２８とを備え、該アウターカバー２４が光コネクタアダプタＱに押されてスプリング２８を圧縮させながら後退移動することでシャッタ２１が開蓋すると共に光プラグＰがアウターカバー２４から前方に突出可能として成る光コネクタプラグにおいて、前記ツマミ１２の後端部より上下左右に突出する把持部５１を備える。【選択図】図１
2014095760.tif 000002
【特許請求の範囲】
【請求項１】
光プラグが装着されたツマミの上面後部に一体に設けられたストッパガイドと、このストッパガイド外面に擢動自在に嵌合されたスプリングガイドと、前記ツマミとスプリングガイドおよびストッパガイドの外面に各擢動自在に嵌合された略角筒状のアウターカバーと、ストッパガイドとアウターカバーとの間に付勢配置されたスプリングとを備え、該アウターカバーが光コネクタアダプタに押されてスプリングを圧縮させながらストッパガイドの後部へ後退移動することでシャッタが開蓋すると共に光プラグがアウターカバーから前方に突出可能として成る光コネクタプラグにおいて、前記ツマミの後端部より上下左右に突出する把持部を備えたことを特徴とする光コネクタプラグ。
【請求項２】
把持部は、矩形面状の上下側面と、略Ｌ字形面状の左右両側面とにより全体略角筒状に形成されて成る請求項１記載の光コネクタプラグ。
【発明の詳細な説明】
【技術分野】
【０００１】
本発明は、光コネクタアダプタに対し、非嵌合時にはシャッタで遮断され、嵌合時にはシャッタを自動開放されるようにした光コネクタプラグのツマミ部分の改良に関するものである。
【背景技術】
【０００２】
従来から、この種の自動開閉可能なシャッタを備えた光コネクタプラグとしては、例えば本件出願人が先に出願した特許文献１に開示されているように、光コネクタアダプタＱに対する非嵌合時には略密閉型のシャッタで常時遮断され、光コネクタアダプタＱに対する嵌合時にはシャッタを自動開放させられるようにしたラックアンドピニオン方式によるシャッタ自動開閉機構Ｓが光プラグＰのツマミ１２の前部外周に取り付けられている（図８、図９、図１０、図１１参照）。
【０００３】
このシャッタ自動開閉機構Ｓは、図８（ａ）、図８（ｂ）、図９（ａ）、図９（ｂ）、図９（ｃ）に示すように、スリーブ状の長手方向に沿ったツマミ１２の上側を覆うように後部のストッパガイド２２及び中間のスプリングガイド２３と、スリーブ状の長手方向に沿ったツマミ１２の前部側を角形状に覆うアウターカバー２４とが互いに伸縮可能となるように取り付けられることで光プラグＰに装着されている。この場合、光プラグＰを把持するためのツマミ１２の把持部分１２ａが後端側左右に矩形突起状となって突出している。
【０００４】
ストッパガイド２２は、ツマミ１２後端の把持部分１２ａ上面に一体形成されると共にスプリングガイド２３は、スットパガイド２２の上面に擢動自在に移動できるようになっている。一方、アウターカバー２４は、図１０（ａ）、図１０（ｂ）、図１１（ａ）、図１１（ｂ）に示すように、光コネクタアダプタＱのハウジングＨ外周と略同形の略角筒状に形成されており、その上側から後部側へ向けて突出した延長部分２４ａが前記スプリングガイド２３の上面を摺動自在に移動できるようになっている。
【０００５】
そして、アウターカバー２４の筒内部には、光プラグＰが装着されているツマミ１２の前部側が挿入され、アウターカバー２４上側内面の左右両側に突設したガイド突起（図示省略）が、ツマミ１２上面の左右両側長手方向に沿って形成されたガイド長溝３１に各係合している。これによって、アウターカバー２４に対しプラグＰ（ツマミ１２）が前方に移動するとアウターカバー２４がガイド長溝３１に沿ってストッパガイド２２側（ツマミ１２の後部側）へ向けて相対摺動する。
【０００６】
また、アウターカバー２４の左右側壁下側の各内面には、ラックアーム（図示せず）が配され、シャッタの左右両端の回転軸部となるピニオン（図示せず）が噛合している。このラックアームは、ツマミ１２の左右両側下端に長手方向に沿って凹設されているガイド部４１に嵌合していることでツマミ１２に対し前後方向に移動できるようになっている。そして、ラックアームの前後移動により、前記ピニオンを介してシャッタ２１が自動開閉されるようになっている。
【０００７】
図１１（ａ）、図１１（ｂ）に示すように、光プラグＰが光コネクタアダプタＱのハウジングＨに挿入されると、アウターカバー２４が光コネクタアダプタＱの挿入開口部の入口等に当たり、アウターカバー２４が後退し始めると同時にシャッタが開き始める。これによりアウターカバー２４がスプリングガイド２３と共にスプリング２８を圧縮させながら後部のストッパガイド２２位置まで後退移動する。すなわち、光プラグＰがアウターカバー２４から前方に突出移動する。この移動端にて光プラグＰのフェルールが光コネクタアダプタＱのスリーブホルダに挿入される。
【先行技術文献】
【特許文献】
【０００８】
【特許文献１】特開２０１１−１７０２６４号公報
【発明の概要】
【発明が解決しようとする課題】
【０００９】
しかしながら、従来における特許文献１に開示されている構成において、上記したように光プラグＰを把持するためのツマミ１２が後端側左右にしか無く、上下で掴むことはできないことから、図１０（ａ）、図１１（ｂ）に示すように、光コネクタアダプタＱの左右に障害物、例えば壁部Ｗがある場合、ツマミ１２と壁部Ｗとの間の隙間が狭くて手指が入らず挿抜動作が非常に困難なものとなる。
【００１０】
そこで、本発明は、叙上のような従来存した諸事情に鑑み案出されたもので、光コネクタアダプタの左右の壁部による狭小空間が存在する場合でも、上下のスペースを利用することで、ツマミを介しての光プラグの挿抜動作が容易に行えるものとした光コネクタプラグを提供することを目的とする。
【課題を解決するための手段】
【００１１】
上述した課題を解決するために、本発明にあっては、光プラグが装着されたツマミの上面後部に一体に設けられたストッパガイドと、このストッパガイド外面に擢動自在に嵌合されたスプリングガイドと、前記ツマミとスプリングガイドおよびストッパガイドの外面に各擢動自在に嵌合された略角筒状のアウターカバーと、ストッパガイドとアウターカバーとの間に付勢配置されたスプリングとを備え、該アウターカバーが光コネクタアダプタに押されてスプリングを圧縮させながらストッパガイドの後部へ後退移動することでシャッタが開蓋すると共に光プラグがアウターカバーから前方に突出可能として成る光コネクタプラグにおいて、前記ツマミの後端部より上下左右に突出する把持部を備えたことを特徴とする。
【００１２】
把持部は、矩形面状の上下側面と、略Ｌ字形面状の左右両側面とにより全体略角筒状に形成されて成る。
【発明の効果】
【００１３】
本発明によれば、光コネクタアダプタの左右に壁部等による狭小空間が存在する場合でも、上下のスペースを利用して、ツマミを介しての光プラグの挿抜動作が容易且つ迅速に行える。
【００１４】
すなわち、ツマミの後端部より上下左右に突出する把持部を備えたので、光コネクタアダプタの左右に壁部等がある場合でも、光コネクタアダプタの上下にスペースがありさえすれば、把持部の上下面を手指で掴むことにより、光プラグの挿抜動作が容易かつ確実に行えるものである。
【００１５】
また、この把持部は、矩形面状の上下側面と、略Ｌ字形面状の左右両側面とにより全体略角筒状に形成されて成るので、把持部の上下側面または左右側面のいずれでも自在に掴むことができて使い勝手が向上すると共に、光コネクタアダプタに対して光プラグを挿抜する際の把持操作性を十分に確保することができる。
【図面の簡単な説明】
【００１６】
【図１】本発明を実施するための一形態における光コネクタプラグの外観形状の一例を示し、（ａ）はアウターカバーにツマミを装着した状態の斜視図、（ｂ）はツマミ部分の斜視図である。
【図２】同じく光コネクタプラグの外観形状の一例を示し、（ａ）は平面図、（ｂ）は側面図、（ｃ）はアウターカバーを後退させた状態の側面図である。
【図３】同じく光コネクタプラグの構成例を示し、（ａ）はアウターカバーのみを断面で示す一部切欠側面図、（ｂ）は縦断面図である。
【図４】同じく光コネクタプラグの構成例を示し、（ａ）は正面図、（ｂ）はシャッタを開放した状態の正面図、（ｃ）は背面図である。
【図５】同じく光コネクタプラグを光コネクタアダプタに接続する一例を示し、（ａ）は接続前の状態の平面図、（ｂ）は接続後の状態の側面図、（ｃ）は接続後の状態の一部切欠平面図である。
【図６】同じく壁部内に配された光コネクタアダプタに光コネクタプラグを接続する動作を説明するもので、（ａ）は接続前の状態の平面図、（ｂ）は接続前の状態の側面図である。
【図７】同じく壁部内に配された光コネクタアダプタに光コネクタプラグを接続する動作を説明するもので、（ａ）は接続後の状態の側面図、（ｂ）は接続後の状態の平面図である。
【図８】従来例における光コネクタプラグを示すもので、（ａ）はアウターカバーにツマミを装着した状態の斜視図、（ｂ）はツマミ部分の斜視図である。
【図９】同じく従来例における光コネクタプラグを示すもので、（ａ）は平面図、（ｂ）は側面図、（ｃ）はアウターカバーを後退させた状態の側面図である。
【図１０】同じく従来例における壁部内に配された光コネクタアダプタに光コネクタプラグを接続する動作を説明するもので、（ａ）は接続前の状態の平面図、（ｂ）は接続前の状態の側面図である。
【図１１】同じく従来例における壁部内に配された光コネクタアダプタに光コネクタプラグを接続する動作を説明するもので、（ａ）は接続後の状態の側面図、（ｂ）は接続後の状態の平面図である。
【発明を実施するための形態】
【００１７】
以下、図面を参照して本発明の実施の一形態を詳細に説明する。
本発明において、図において示される符号Ｐは光プラグであり、該光プラグＰは図３（ｂ）に示したように、筒形のプラグフレーム１と、該プラグフレーム１の後部内に前部を嵌合固定した円筒形のストップリング２と、該ストップリング２の後部外周面との間にケブラをカシメ固定するカシメリング４と、上記ストップリング２及びカシメリング４内に挿通した光ファイバ（図示省略）と、該光ファイバを軸心に貫通固定し、上記ストップリング２との間に圧縮バネ６を介在して上記プラグフレーム１の軸心に配設したフェルール７と、上記カシメリング４の後部外周面との間にコード外被（図示省略）を固定するリング９と、上記カシメリング４及びアイレット９並びに光ファイバコード（図示省略）を被覆するブーツ１１と、前記プラグフレーム１、ストップリング２それぞれを覆うツマミ１２とで構成されている。
【００１８】
図３（ａ）、図３（ｂ）、図４（ａ）、図４（ｂ）、図４（ｃ）に示したように、光プラグＰのツマミ１２外周には、光コネクタアダプタＱのハウジングＨに対する非嵌合時には略密閉型のシャッタ２１で常時遮断され、光コネクタアダプタＱのハウジングＨに対する嵌合時にはシャッタ２１を自動開放させられるようにしたラックアンドピニオン方式によるシャッタ自動開閉機構Ｓが取り付けられている。
【００１９】
このシャッタ自動開閉機構Ｓの開閉要素は、図３（ａ）、図３（ｂ）に示すように、アウターカバー２４の左右両内側において当該アウターカバー２４に対し前後方向にスライド可能となって配され且つスライド端においてはアウターカバー２４と同期して後退移動可能とするラックアーム３８と、シャッタ２１の開閉軸部３５に同軸一体となった既述のピニオン３４を備え、ラックアーム３８の歯部に当該ピニオン３４が噛合して成る。
【００２０】
すなわち、このシャッタ自動開閉機構Ｓは、図３（ａ）、図３（ｂ）に示すように、アウターカバー２４の左右側壁下側の各内面に、ラックアーム３８が水平に配され、シャッタ２１の左右両端の回転軸部となるピニオン３４がこのラックアーム３８上部前方に設けられた歯部に噛合している。また、このラックアーム３８は、ツマミ１２の左右両側下端に長手方向に沿って凹設されているガイド部４１に嵌合していることでツマミ１２に対し前後方向に移動できるようになっている。そして、このラックアーム３８の前後移動により、その歯部に噛合している前記ピニオン３８を介してシャッタ２１が自動開閉されるようになっている。
【００２１】
さらに具体的には、アウターカバー２４の前側開口部内側には、略断面円弧形マスク状（略１／４の球殻）となったシャッタ２１が開閉軸部によって開閉自在（シャッタ２１面が前向位置と上向位置との間を揺動可能）となって設けられている。すなわち、図３（ａ）に示すように、シャッタ２１の左右両端にはピニオン３４と同軸一体となった（あるいは両端がピニオン形状となった）開閉軸部３５が設けられ、該開閉軸部３５をアウターカバー２４の左右側壁内面に設けた軸受（図示せず）に回動自在に枢着させてある。そして、アウターカバー２４の開口部上面は、シャッタ２１が上向位置に揺動した際の退避スペースが得られるよう上方に向けて円弧型フード状に形成されている。
【００２２】
而して、前記アウターカバー２４は、図５（ａ）、図５（ｂ）、図５（ｃ）、図６（ａ）、図６（ｂ）、図７（ａ）、図７（ｂ）に示すように、光コネクタアダプタＱのハウジングＨ外周と略同形の略角筒状に形成されている。すなわち、円弧型フード状の上面部２４ｂ、左右側面部２４ｃおよび底カバー２４ｄを備え、前記上面部２４ｂの後部側へ向けて突出した延長部分２４ａがスプリングガイド２３の上面を摺動自在に移動できるようになっている。
【００２３】
さらに、図３（ｂ）に示すように、アウターカバー２４の延長部分２４ａの内側には後方に向けて突起２９が形成され、該突起２９に前記スプリング２８の他端が掛止保持されている。
【００２４】
一方、図１（ａ）、図２（ａ）、図２（ｂ）、図２（ｃ）、図３（ａ）、図３（ｂ）に示すように、ツマミ１２の後端には把持部５１が一体形成されている。そして、図１（ａ）、図１（ｂ）、図４（ｃ）に示すように、この把持部５１の内側にはブーツ１１を挿通するための略矩形状の開口部５３が形成され、この開口部５３の上側には略逆Ｕ字状に窪ませた凹部５３ａが形成されている。
【００２５】
この開口部５３にブーツ１１が嵌合して固定される際には、図３（ｂ）に示すように、ブーツ１１の上側に前方へ向けて設けた突起２７が前記凹部５３ａに嵌り込み、ストッパガイド２２の内側にて前方に向けて配置されると共に、この突起２７には、一端がアウターカバー２４の延長部分２４ａ内側に設けられた突起２９に掛止保持されたスプリング２８の他端側が掛止保持されている。なお、スプリングガイド２３は、ストッパガイド２２の上面を摺動自在に移動でき、内側には前記スプリング２８の略中間部分が通せるようになっている。
【００２６】
これによって、アウターカバー２４に対しプラグＰ（ツマミ１２）が前方に移動するとスプリング２８が圧縮されながらアウターカバー２４がガイド長溝３１に沿って把持部５１の前端上方中央に一体に設けられたストッパガイド２２側（ツマミ１２の後部側）へ向けて相対摺動する。
【００２７】
上記した構成により、図５（ｂ）、図５（ｃ）、図７（ａ）、図７（ｂ）に示すように、光プラグＰが光コネクタアダプタＱのハウジングＨに挿入されると、アウターカバー２４が光コネクタアダプタＱの挿入開口部の入口等に突き当たり、アウターカバー２４が後退し始める。これによりアウターカバー２４がスプリングガイド２３と共にスプリング２８を圧縮させながら後退移動するため、光プラグＰがアウターカバー２４から前方に突出移動し、この移動端にて光プラグＰのフェルールが光コネクタアダプタＱのスリーブホルダＲに挿入される。
【００２８】
さらに、前記把持部５１は、図１（ａ）、図１（ｂ）、図２（ａ）、図２（ｂ）、図２（ｃ）、図３（ａ）、図３（ｂ）、図４（ｃ）、図５（ａ）に示すように、ツマミ１２（スットパガイド２２）の後端部より上下左右の四方向に突出するよう背面視で縦横が幅広となって形成されている。すなわち、この把持部５１は、略矩形面状の上側面部５１ａと下側面部５１ｂ、略Ｌ字形面状の右側面部５１ｃと左側面部５１ｄ、の四面により全体略角筒状または矩形枠状に形成されており、これらの各面内には溝条もしくは突条の滑り止め部５２が形成されていると共に、把持部５１の全ての角部は丸みを帯びて形成されている。
【００２９】
なお、図２（ｂ）、図２（ｃ）、図３（ａ）、図３（ｂ）、図５（ｂ）、図７（ａ）に示すように、この把持部５１の右側面部５１ｃと左側面部５１ｄは共に略Ｌ字形面状に形成されていることから、アウターカバー２４がスプリングガイド２３と共にスプリング２８を圧縮させながら後退移動した際には、アウターカバー２４の上側から後部側へ向けて突出した延長部分２４ａの下端縁と、前記アウターカバー２４の底カバー２４ｄとの間にこの縦幅の狭いＬ字先端側が入り込むよう構成されている。
【００３０】
次に、以上のように構成された形態についての使用、動作の一例について説明する。
【００３１】
図６（ａ）、図６（ｂ）、図７（ａ）、図７（ｂ）に示すように、光コネクタアダプタＱが左右の壁部Ｗによって囲まれており、上下にスペース、例えば光コネクタアダプタＱの配置床面の手前下側に段差等がある場合には、ツマミ１２の後端部にある把持部５１の上側面部５１ａと下側面部５１ｂとを手指でもって、光プラグＰを光コネクタアダプタＱに挿入すれば良い。このとき、アウターカバー２４が光コネクタアダプタＱの挿入開口部の入口等に突き当たり、アウターカバー２４が後退し始める。
【００３２】
そして、図３（ａ）、図３（ｂ）、図７（ａ）、図７（ｂ）に示すように、ラックアーム３８のガイド突起４０がアウターカバー２４のガイド孔（不図示）に沿って前方へ移動し、ピニオン３４およびラックアーム３８を介してシャッタ２１が開き始める。すなわち、ラックアーム３８はアウターカバー２４と同期して動く。
【００３３】
これによりアウターカバー２４がスプリングガイド２３と共にスプリング２８を圧縮させながら後部のストッパガイド２２位置まで後退移動する。すなわち、光プラグＰがアウターカバー２４から前方に突出移動する。この移動端にて光プラグＰのフェルール７が光コネクタアダプタＱのスリーブホルダＲに挿入される（図５（ｃ）、図７（ａ）、図７（ｂ）参照）。
【００３４】
このとき、把持部５１の右側面部５１ｃと左側面部５１ｄとの縦幅の狭いＬ字先端部分が、アウターカバー２４の上側から後部側へ向けて突出した延長部分２４ａの下端縁と前記アウターカバー２４の底カバー２４ｄとの間に入り込む。これにより光プラグＰの挿抜操作上の安定性が確保される。
【００３５】
光コネクタアダプタＱから光プラグＰを抜く場合も上記と同様に、ツマミ１２の後端部にある把持部５１の上側面部５１ａと下側面部５１ｂとを手指でもって、光プラグＰを光コネクタアダプタＱから抜けば良い。
【００３６】
なお、光コネクタアダプタＱが上下の壁部Ｗによって囲まれており、左右にスペース等がある場合には、ツマミ１２の後端部にある把持部５１の右側面部５１ｃと左側面部５１ｄとを手指でもって、光プラグＰを光コネクタアダプタＱに挿入すれば良い。
【００３７】
こうして、光コネクタアダプタＱの左右の壁部Ｗによる狭小空間が存在する場合においても、上下のスペースを利用することで、ツマミ１２の把持部５１を介して光プラグＰの挿抜動作が容易に行える。
【符号の説明】
【００３８】
Ｐ      光プラグ
Ｑ      光コネクタアダプタ
Ｓ      シャッタ自動開閉機構
Ｈ      ハウジング
Ｗ      壁部
１      プラグフレーム
２      ストップリング
４      カシメリング
６      圧縮バネ
７      フェルール
９      アイレット
１１    ブーツ
１２    ツマミ
２１    シャッタ
２２    ストッパガイド
２３    スプリングガイド
２４    アウターカバー
２４ａ  延長部分
２４ｂ  上面部
２４ｃ  左右側面部
２４ｄ  底カバー
２７    突起
２８    スプリング
２９    突起
３１    ガイド長溝
３３    後端部
３４    ピニオン
３５    開閉軸部
３８    ラックアーム
４０    ガイド突起
４１    ガイド部
５１    把持部
５１ａ  上側面部
５１ｂ  下側面部
５１ｃ  右側面部
５１ｄ  左側面部
５２    滑り止め部
５３    開口部
５３ａ  凹部
【図１】
2014095760.tif 000003
【図２】
2014095760.tif 000004
【図３】
2014095760.tif 000005
【図４】
2014095760.tif 000006
【図５】
2014095760.tif 000007
【図６】
2014095760.tif 000008
【図７】
2014095760.tif 000009
【図８】
2014095760.tif 000010
【図９】
2014095760.tif 000011
【図１０】
2014095760.tif 000012
【図１１】
2014095760.tif 000013